(57)【特許請求の範囲】
【請求項１】
前面を開口したグリルケース内の底部に、水受皿を前後方向に出し入れ自在に収納すると共に、この水受皿の前面に上記開口を開閉自在に閉塞する扉を配設し、かつこの扉の裏面に、扉の引き出し操作に連動して上記水受皿を引き出し、扉をある程度引き出すと扉の落下を可能とする連動部材を連結したものにおいて、この連動部材を、線材で形成した略コ字状の支持部と、この支持部の後辺に固定し、先端を上記水受皿の後部に凹設した係合溝に係入する係止部とで構成し、かつ上記水受皿の係合溝後方に、上記係止部の後方への移動を防止するストッパーを設けた事を特徴とするグリル装置。
【請求項２】
上記ストッパーを、上記水受皿の後部略中央に設けると共に比較的幅広に構成し、かつこのストッパーの底部に、先端を上記水受皿の最底位置よりも下方に突出した支持突起を一体に折曲形成した事を特徴とする、上記請求項１に記載のグリル装置。
【発明の詳細な説明】
【０００１】
【発明の属する技術分野】
本発明は、主に魚焼き調理を行うグリル装置に関する。
【０００２】
【従来の技術】
主に魚焼き調理を行うグリル装置では、扉の引き出し操作に連動して水受皿が引き出され、かつ水受皿をある程度引き出して扉から手を離すと扉が落下する様に構成したものがあるが、例えば特公平８−８８９７号公報の図１〜図３に示された構造では、連結部材５を構成する環状部材５０の後端部に上方へ向けて突出するＵ字部材５１を固定し、このＵ字部材を水受皿の後端部に穿孔した係止穴４３，４４に下側から挿入することで、水受皿をグリルケースより取り出して水受皿を持った時に、扉のみが回転して落下しない様に構成している。
【０００３】
一方、上記構成の場合には、水受皿を流し台の上等の平坦面に置いた場合、図２中に記載されたＨ寸法より上記Ｕ字部材５１の挿入寸法が短いと、Ｕ字部材が係止穴より外れて扉と水受皿が分離し、両者の間にガタツキが発生して取扱い難いという問題がある。
【０００４】
又、例えば特開平９−８９２７２号公報にも同様な構成が示されているが、この場合には連結部材８の連結補助部材３１とグリルケースの底板５との接触面積が大きく、出し入れ操作時に摩擦音が発生し易いという問題がある。
【０００５】
【発明が解決しようとする課題】
そこで本発明は、水受皿の引き出し操作を円滑に行うと共に、水受皿と扉をグリルケースより取り出した際の操作性を向上する事を目的とするものである。
【０００６】
【課題を解決するための手段】
本発明は、前面を開口したグリルケース内の底部に、水受皿を前後方向に出し入れ自在に収納すると共に、この水受皿の前面に開口を開閉自在に閉塞する扉を配設し、かつこの扉の裏面に、扉の引き出し操作に連動して水受皿を引き出し、扉をある程度引き出すと扉の落下を可能とする連動部材を連結したものにおいて、この連動部材を、線材で形成した略コ字状の支持部と、この支持部の後辺に固定し、先端を水受皿の後部に凹設した係合溝に係入する係止部とで構成し、かつ水受皿の係合溝後方に、係止部の後方への移動を防止するストッパーを設けて成るものである。
【０００７】
又本発明は、ストッパーを、水受皿の後部略中央に設けると共に比較的幅広に構成し、かつこのストッパーの底部に、先端を水受皿の最底位置よりも下方に突出した支持突起を一体に折曲形成して成るものである。
【０００８】
【発明の実施の形態】
本発明の実施例を電磁調理器を用いて先ず図１に基づき説明すると、１は例えばシステムキッチンにドロップイン方式にて組み込まれる調理器本体で、上面に耐熱ガラス製の天板２を装着していると共に、この天板下方の内部上面左右に誘導加熱コイル３，３を配設し、これら誘導加熱コイル間の後方にラジェントヒータ４を配置している。
【０００９】
又、上記調理器本体１の内部左側下方に魚焼き用のグリル装置５を装着し、かつこのグリル装置の前面には扉６を引き出し自在に装着し、この扉の隣に操作パネル７を装着している。
【００１０】
一方、上記グリル装置５は、図２及び図３にても示す様に前面を開口８した箱状のグリルケース９内の底部に、魚等の被調理物を載せる焼網１０を着脱自在に載置する水受皿１１を前後方向に出し入れ自在に収納し、この水受皿の前面に上記扉６を配設している。
【００１１】
又、上記扉６の裏面は連動部材１２の前端に連結され、この連動部材によって扉６を引き出すと、これに連動して水受皿１１を引き出す様に構成し、上記連動部材１２は、金属製の線材を略コ字状に折曲成形した支持部１３と、この支持部の後辺１４に溶接等によって連結固定された係止部１５とから構成している。
【００１２】
更に、上記支持部１３は、その左右両側辺を上下に屈曲し、水受皿１１の中心より前側を下方に折り曲げた後水受皿の後端部に向けて傾斜状に立ち上がるガイド部１６を形成している。
【００１３】
一方上記係止部１５は、図４にても示す様に金属製の線材を折曲成形したもので、両端に上記支持部１３の後辺１４に溶接等によって固定する直線状の固定部１７，１７を形成し、中央部を一度略垂直に下側に折り曲げた後、前方に向けて凸状に折曲して当接部１８を形成し、この当接部を、図５にても示す様に水受皿１０の底部後端中央に内側に向けて凹設した係合溝１９に係入する様に構成している。
【００１４】
更に、上記水受皿１１の係合溝１９後方には、上記当接部１８の後方への抜けを防止する比較的幅広のストッパー２０をスポット溶接等により突出固定し、かつこのストッパーの底面左右には、図６にても示す下端が上記水受皿１１の最底部２１よりも下方に突出した支持突起２２，２２を一体に折曲形成している。
【００１５】
これにより、上記扉６と水受皿１１をグリルケース９より取り出して平坦面に置いた時、上記支持突起２２，２２と扉６の下端にて全体を安定して支持する事が出来るものである。
【００１６】
又、上記水受皿１１をグリルケース９内に収納して扉６を閉塞時には、図３にても示す様に、水受皿１１の前部を支持部１２の前端部にて支持し、水受皿１１の後部を図７にて示す様に係止部１５の当接部１８にて安定して支持するものである。
【００１７】
一方、図８にて示す様に上記扉６を引き出して扉から手を離すと、上記当接部１８を中心に支持部１２が下方に回転して扉６が下がり、焼網１０に載置された魚等の被調理物の出し入れを行い易くしている。
【００１８】
【発明の効果】
本発明の構成により、扉の裏面に、扉の引き出し操作に連動して水受皿を出し入れする連動部材を連結したものにおいて、この連動部材を線材で構成した略コ字の支持部と、この支持部の後辺に固定され、先端を水受皿の後部に凹設した係合溝に係入する係止部とで構成し、かつ係合溝の後方にストッパーを設けたことで、係止部と係合溝との係合によって連動部材と水受皿とを確実に連結し、扉の出し入れ操作に連動して水受皿を安定して出し入れ操作する事が出来るものである。
【００１９】
又本発明の構成により、ストッパーの底部に支持突起を突出形成したことで、水受皿をグリルケースより取り出して平坦面に置いた時、この支持突起により水受皿を安定して支持する事が出来るものである。
【図面の簡単な説明】
【図１】本発明による実施例を示す斜視図である。
【図２】同じく扉を引き出した状態の概略斜視図である。
【図３】同じく側面縦断面図である。
【図４】同じく要部の背面斜視図である。
【図５】同じく水受皿の一部平面図である。
【図６】同じく水受皿の背面図である。
【図７】同じく要部の拡大による側面縦断面図である。
【図８】同じく動作説明用の側面縦断面図である。
【符号の説明】
６    扉
８    開口
９    グリルケース
１１  水受皿
１２  連動部材
１３  支持部
１４  後辺
１５  係止部
１８  係合部
２０  ストッパー
２２  支持突起
【図１】
0004553531.tif 000002
【図２】
0004553531.tif 000003
【図３】
0004553531.tif 000004
【図４】
0004553531.tif 000005
【図５】
0004553531.tif 000006
【図６】
0004553531.tif 000007
【図７】
0004553531.tif 000008
【図８】
0004553531.tif 000009